(57)【要約】【課題】            単に部屋の床上に敷設すればそれで床暖房が可能となるように構成することによって、設置費用が安価で済む床暖房装置を提供する。【解決手段】        床上に敷設される鉄粉とアスファルトを主原料とした床安定シートと、この床安定シートの上面に敷設した複数枚のシート状ヒーターから成る面状発熱体と、この面状発熱体の上面を覆うフロアーシートと、を含み、前記床安定シートと面状発熱体とフロアーシートの全部或は一部を互いに接着することによって、各部屋の大きさに合わせた可撓性と一体性を有するシート状に構成する。【選択図】          図２
2005090850.tif 000002
【特許請求の範囲】
【請求項１】
床上に敷設される鉄粉とアスファルトを主原料とした床安定シートと、この床安定シートの上面に敷設した複数枚のシート状ヒーターから成る面状発熱体と、この面状発熱体の上面を覆うフロアーシートと、を含み、前記床安定シートと面状発熱体とフロアーシートの全部或は一部を互いに接着することによって、各部屋の大きさに合わせた可撓性と一体性を有するシート状に構成したことを特徴とする、床暖房装置。
【請求項２】
前記床安定シートは、鉄粉とアスファルトを均一に捏練した上で、圧延ローラによりシート状に形成したものであることを特徴とする、請求項１に記載の床暖房装置。
【請求項３】
前記床安定シートと、前記面状発熱体と、前記フロアーシートは、耐熱性の両面テープを用いて互いに接着されていることを特徴とする、請求項１乃至２のいずれか一つに記載の床暖房装置。
【請求項４】
前記シート状の床暖房装置の縁部は、床安定シートとフロアーシートの縁部が直に接着されていることを特徴とする、請求項１乃至３のいずれか一つに記載の床暖房装置。
【請求項５】
前記床安定シートと前記フロアーシートを複数枚用いる場合には、隣接するシート同士を耐熱テープで繋げると共に、前記床安定シートと前記フロアーシートを互いの耐熱テープが交わる方向に配置することを特徴とする、請求項１乃至４のいずれか一つに記載の床暖房装置。
【発明の詳細な説明】
【技術分野】
【０００１】
この発明は、とくに一般住宅の各部屋を床暖房によって暖房する際に用いて好適な床暖房装置に関する。
【背景技術】
【０００２】
近年、室内を暖房する暖房装置として、人体にやさしく、大気を汚染しないことから、電気を用いて発熱させる複数枚のプレート状ヒーターから成る面状発熱体を用いた床暖房装置が注目されている。
【０００３】
このような床暖房装置として、以下に示す特許文献１のものが公知である。
【０００４】
【特許文献１】特開平１１−３３７０９３号公開特許公報
【発明の開示】
【発明が解決しようとする課題】
【０００５】
この特許文献に示されたものは複数の発熱シートを床下地材（断熱材）と床材との間にサンドイッチ状に挟んで設置するものであるが、現場で床下地材と床材の間に発熱シートを敷設したり、床下地材に発熱シートの導線を逃がす溝を刻設したりする材料や手間を要することから設置費用が嵩むという問題があり、今ひとつ普及を見ていない。
【０００６】
そこで、この発明の目的は、単に部屋の床上に敷設すればそれで床暖房が可能となるように構成することによって、設置費用が安価で済む床暖房装置を提供せんとするにある。
【課題を解決するための手段】
【０００７】
上述した目的を達成するためにこの発明は、床上に敷設される鉄粉とアスファルトを主原料とした床安定シートと、この床安定シートの上面に敷設した複数枚のシート状ヒーターから成る面状発熱体と、この面状発熱体の上面を覆うフロアーシートと、を含み、前記床安定シートと面状発熱体とフロアーシートの全部或は一部を互いに接着することによって、各部屋の大きさに合わせた可撓性と一体性を有するシート状に構成したことを特徴とする。
【０００８】
その際にこの発明は、前記床安定シートは、鉄粉とアスファルトを均一に捏練した上で、圧延ローラによりシート状に形成することができる。
【０００９】
この発明はまた、前記床安定シートと、前記面状発熱体と、前記フロアーシートとを、耐熱性の両面テープを用いて互いに接着させることができる。
【００１０】
この発明はさらに、前記シート状の床暖房装置の縁部は、床安定シートとフロアーシートの縁部が直に接着することによって構成することができる。
【００１１】
そして、この発明は、前記床安定シートと前記フロアーシートを複数枚用いる場合には、隣接するシート同士を耐熱テープで繋げると共に、前記床安定シートと前記フロアーシートを互いの耐熱テープが交わる方向に配置することができる。
【発明の効果】
【００１２】
この発明に係る床暖房装置は、可撓性を有する一枚のシート状に構成したので、既存の床を何ら改修することなく、単に床上に敷設して電源に接続するだけで床暖房が可能となるものであり、その際に床安定シートをある程度の重量のあるもので構成すると、シート全体が床上に安定し、よれたり、しわが寄ったりすることがないという効果を奏し得る。
【発明を実施するための最良の形態】
【００１３】
以下にこの発明の実施例を図面に基づいて説明する。
【実施例１】
【００１４】
図１において、部屋１は、床材２上に一枚のシート状を呈した床暖房装置３を敷設し、導線３ａを電源へ接続することによって、床暖房が可能となっている。
【００１５】
この床暖房装置３は、とくに、図２に示したように、可撓性を有する床安定シート４と、複数枚の同じく可擁性を有するシート状ヒーター５ａから成る面状発熱体５と、同じく可撓性を有するフロアーシート６から成り、２枚の床安定シート４とフロアーシート６との間に面状発熱体５を挟んで重ね合わせて互いを接着することにより、可撓性を有する一枚のシート状に形成されている。
【００１６】
床安定シート４は、鉄粉と液状のアスファルトとを均一に捏練した圧延ロールで圧延することによりシート状に形成したものであり、鉄粉を少なくとも３０％前後含んでおり、約１．５ｍｍ厚で３坪の大きさにすると、約６０ｋｇの重さとなって、床上にしわが寄ったり、めくれ上がることなく安定した状態で敷設展延される。
【００１７】
シート状ヒーター５ａは、全てＰＴＣ導電性塗料を含浸させた上で、乾燥、加熱加工して作成した綿帛を基材としたもので、幅１１７ｍｍ、長さ２６５０ｍｍ、厚さ０．５ｍｍ、長手方向両端部に１０４ｍｍの幅を空けて０．２ｍｍ程度の銅線を１４本ずつ織り込んだ電極を平行に配置し、さらに図示してないが、基材の両面をポリプロピレンフィルム等でラミネートしたものを用いた。
【００１８】
このシート状ヒーターは、ＰＴＣ導線特性を有し、このＰＴＣ導電特性を有するものは、大電流の通過時に電気抵抗が増して電流ひいては発熱量が減少する自己温度制御特性を示すことから、床暖房装置の面状発熱体を構成するシート状ヒーターとして最も好ましい発熱シートである。かかるシート状ヒーターを用いることにより、該シート状ヒーターの温度が短絡等の事故のない場合、実用上又は安全上の上限値を超える温度にまで上昇する危険はなくなり、ニクロム線を使ったシート状ヒーターと違って、複雑な加熱防止機構が不要となる利点を有することになる。
【００１９】
尚、シート状ヒーター５ａは、上述したもの以外のものを使用することが可能である。
【００２０】
例えば布帛としては、ポリエステル系繊維の他に、ＰＴＣ導線性塗料を塗布、或は含浸させた綿、ポリアミド系繊維、アクリル系繊維、ビニロン系繊維等、又はこれらのうち少なくとも１種を含む紡績糸、又は混繊糸等よりなる繊維糸条を経糸及び／又は緯糸に配し、その経糸及び又は緯糸の一部に銅線又はこれに代わる良導電性線条物を所定間隔で配置した繊維織物が挙げられる。加熱方法としては、例えば、遠赤外線照射、マイクロウエーブ照射、誘電加熱等が利用できるが、これらに限定されるものではなく、適切な温度管理が可能なものであればよく、また、ＰＴＣ導電性塗料の溶媒の発散速度に塗膜の表面と内部とで差ができない方法が好ましい。
【００２１】
この際使用されるＰＴＣ導電性塗料としては、米国特許第５，５５６，５７６号明細書に記載されているものが典型的に用いられる。すなわち、次の順序の工程により製造される導電性塗料である。（１）加熱された攪拌容器に芳香族の溶剤を入れ、４０〜６０℃の温度まで加熱する。（２）熱可塑性樹脂、未硬化の熱硬化性樹脂及びエラストマーより選ばれた基板形成物質を、後の工程における導電性物質の２５〜４０重量％加える。（３）添加される導電性粉体の２５〜４０重量％のパラフィンを添加し、すべての固形分が溶解するまで、撹粋を続ける。（４）黒鉛、カーボンブラック、金属粉等から選択された導電性微細粉体を加え、滑らかなペーストが形成されるまで撹拝する。（５）そのペーストを、導電性微細粉体の実質的に均一な分散体となるまで混練する。このようにして得たＰＴＣ導電性塗料は、布帛や繊維に塗布したり、浸漬させたりして用いることになる。次に、フロアーシート６としては、市販されている例えば南海アートフロアー２１のような床暖房対応品を使用し、厚さ３ｍｍ程度が望ましいが、この厚さのものに限定されない。６ｍｍ、９ｍｍ、１２ｍｍというように現場に応じて選択できる。
【００２２】
そして、とくに図３に示したように、床暖房装置３の各シート状ヒーター５ａから成る面状発熱体５へ電流を流すラミネート加工した平線７，７と、各シート状ヒーター５ａの銅線８，８との間に、鳩目加工によって、薄板状のヒーター短絡保護用のヒューズ９，９が接続されている。
【００２３】
このヒューズ９は、とくに図４に示したように、両端部に設けた幅広の端子部１０ａ，１０ａに鳩目取付用の透孔１０ｂ，１０ｂを設け、各端子部１０ａ，１０ａ間に長手方向に伸びる長孔１１ａを有する幅狭の溶断部１１を一体的に設けたヒューズ本体１０と、さらに各端子部１０ａ，１０ａの一部と溶断部１１を貼着被覆した例えば雲母フィルム（商品名：マイカ粘着テープ）から成る耐火フィルム１２とで構成されている。
【００２４】
ヒューズ本体１０の材料は、洋白（鉛、錫、銅の合金）を用いているが、このものに限定されず、必要に応じて燐青銅、その他の銅合金、鉛、錫、アルミニウム等を単体で或は適宜組み合わせて合金として用いることができる。耐火フィルム１２は、雲母フィルム（商品名：マイカ粘着テープ）が好適であるが、これ以外に耐熱温度５００℃以上の耐熱フィルムやテープ等を用いることができる。尚、ヒューズ９の部分も、図示してないがポリエステルフィルムのような絶縁性フィルムや絶縁性塗料で絶縁される。
【００２５】
この発明に係る床暖房装置３は、床安定シート４と、同一方向に並べた複数枚のシート状ヒーター５ａから成る面状発熱体５と、フロアーシート６と、を互いに重ね合わせて１枚の可撓性を有するシート状に形成してあるが、接着方法としては、各シート４，６と面状発熱体５をほぼ同一の大きさに構成して重ね合わせて耐熱性の両面テープで接着するものと、図５に示したように、床暖房装置１５を、面状発熱体１６を床安定シート１７とフロアーシート１８の間に包み込むようにして、床安定シート１７とフロアーシート１８の各縁部１７ａ，１８ａを接着するように構成しても良い。
【００２６】
また、図６に示したように、床暖房装置２０を各々全体として一枚の床安定シート２１とフロアーシート２２を構成するのに複数枚のシートを用いる場合には、面状発熱体２３に対し互いの展延方向を変えて互いが直交する方向に重ね合わせることが好ましい。
【００２７】
この発明は以上のように構成したので、可撓性を有し、例えば６畳間や８畳間といった小さな部屋の場合には、予め工場で部屋の大きさに合わせて床暖房装置３を作って現場へ運び、部屋に敷設した上で、シート状ヒーター５ａから成る面状発熱体５より導出した導線３ａを電源へ接続するだけで床暖房が可能となるものであり、従来のもののように既存の床を傷つけたり、加工したりする必要がないので、安価に床暖房装置を設置することが可能となるものである。
【００２８】
さらに、部屋が１５畳、２０畳といったように広く、現場で敷設工事をする場合でも、既存の床に加工を施す必要はないので、現場工事が簡単である。
【００２９】
部屋が広い場合には、現場でシート状に形成しても良いが、予め工場で複数枚のシート状に構成したものを現場へ運び、床材２上に敷設して互いを電気的に及び物理的に接続するようにしても良い。いずれにしても、単に床材２上へ敷設するのみで良いので、従来公知のものよりは施工が簡単なので設置費用を安価に抑えることが可能である。
【産業上の利用可能性】
【００３０】
この発明は、床暖房装置を部屋の床材の上に展延させて電源に接続させるだけで床暖房が可能となるので、施工工費費が安価で済むことから、とくに３畳間から２０畳間程度までの一般家庭用住宅の各部屋を床暖房するのに最適である。
【図面の簡単な説明】
【００３１】
【図１】この発明に係る床暖房装置の設置状態を説明する説明図である。
【図２】この発明に係る床暖房装置の説明図である。
【図３】この発明に係るシート状ヒーターを説明する説明図である。
【図４】この発明に係る床暖房装置に用いるヒューズの斜視図である。
【図５】この発明に係る床暖房装置の他の実施例を示す説明図である。
【図６】この発明に係る床暖房装置の他の実施例を示す説明図である。
【符号の説明】
【００３２】
１  部屋
２  床材
３  床暖房装置
４  床安定シート
５  面状発熱体
５ａ  シート状ヒーター
６  フロアーシート
７  平線
８  銅線
９    ヒューズ
１０  ヒューズ本体
１０ａ  端子部
１０ｂ  透孔
１１  溶断部
１１ａ  長孔
１２  耐火フィルム
【図１】
2005090850.tif 000003
【図２】
2005090850.tif 000004
【図３】
2005090850.tif 000005
【図４】
2005090850.tif 000006
【図５】
2005090850.tif 000007
【図６】
2005090850.tif 000008